(57)【要約】【課題】電子機器を定格情報外の環境で使用すると、電子機器を最大能力で使用できない、または電子機器が故障等する。例えば、ハイオクガソリン車に、レギュラーガソリンを給油すると、車が故障等する。また、定格電源周波数が５０Ｈｚの電子機器を、周波数６０Ｈｚの供給電源に接続すると、電子機器を最大能力で使用できない。【解決手段】本発明は、電子機器の定格情報を、電子機器から受信する定格情報受信部と、電子機器の使用対象の規格情報を取得する規格情報取得部と、定格情報と規格情報が一定の関係にあるか否かを判断する判断部と、判断部における判断結果が一定の関係にない、との判断結果である場合は、一定の動作を行う動作部を具備する情報処理装置、また、保持している定格情報を送信する電子機器である。本発明によって、定格情報外の環境で電子機器が使用されることを防止できる。【選択図】  図１
2004316443.tif 000002
【特許請求の範囲】
【請求項１】
電子機器の定格情報を、当該電子機器から受信する定格情報受信部と、
前記電子機器の使用対象の規格情報を取得する規格情報取得部と、
前記定格情報と前記規格情報が一定の関係にあるか否かを判断する判断部と、
前記判断部における判断結果が一定の関係にない、との判断結果である場合は、一定の動作を行う動作部を具備する情報処理装置。
【請求項２】
電子機器の定格情報を、当該電子機器から受信する定格情報受信部と、
前記定格情報に基づいて一定の動作を行う動作部を具備する情報処理装置。
【請求項３】
前記定格情報は、燃料に関する情報の燃料情報である請求項１または請求項２いずれか記載の情報処理装置。
【請求項４】
前記燃料情報はガソリンの種類を示すガソリン種情報である請求項３記載の情報処理装置。
【請求項５】
前記情報処理装置は、給油機能を具備する給油機である請求項４記載の情報処理装置。
【請求項６】
前記燃料情報はガスの種類を示すガス種情報である請求項３記載の情報処理装置。
【請求項７】
前記定格情報は、電気に関する情報の電源情報である請求項１または請求項２いずれか記載の情報処理装置。
【請求項８】
前記電源情報は電子機器が対応する電圧を示す電圧情報である請求項７記載の情報処理装置。
【請求項９】
前記電源情報は電子機器が対応する電源周波数を示す電源周波数情報である請求項７記載の情報処理装置。
【請求項１０】
前記電源情報は電子機器の消費電力を示す消費電力情報である請求項７記載の情報処理装置。
【請求項１１】
前記一定の動作は、警告に関する情報である警告情報を出力する動作である請求項１から請求項１０いずれか記載の情報処理装置。
【請求項１２】
前記一定の動作は、電子機器に対して動作しないことを指示する動作である請求項１から請求項１０いずれか記載の情報処理装置。
【請求項１３】
前記一定の動作は、同一の機能を有する２以上の電子機器の少なくとも１の電子機器に動作しないことを指示する動作である請求項１から請求項１０いずれか記載の情報処理装置。
【請求項１４】
保持している定格情報を送信する電子機器。
【請求項１５】
保持している燃料情報を送信する電子機器。
【請求項１６】
保持しているガソリン種情報を送信する自動車。
【請求項１７】
保持しているガス種情報を送信するガス器具。
【請求項１８】
保持している電源情報を送信する電子機器。
【請求項１９】
保持している電圧情報を送信する電子機器。
【請求項２０】
保持している電源周波数情報を送信する電子機器。
【請求項２１】
保持している消費電力情報を送信する電子機器。
【請求項２２】
前記定格情報、または前記燃料情報、または前記電源情報、または前記電圧情報、または前記電源周波数情報、または前記消費電力情報の送信に対応して、許可を示す情報を受信した場合、または不許可を示す情報を受信しない場合に、一定の動作を行う請求項１４または請求項１５または請求項１８から請求項２１いずれか記載の電子機器。
【請求項２３】
前記定格情報、または前記燃料情報、または前記電源情報、または前記電圧情報、または前記電源周波数情報、または前記消費電力情報の送信に対応して、不許可を示す情報を受信した場合、または許可を示す情報を受信しない場合に、一定の動作を行う請求項１４または請求項１５または請求項１８から請求項２１いずれか記載の電子機器。
【請求項２４】
前記ガソリン種情報の送信に対応して、不許可を示す情報を受信した場合、または許可を示す情報を受信しない場合に、警告情報を出力する請求項１６記載の自動車。
【請求項２５】
前記ガス種情報の送信に対応して、許可を示す情報を受信した場合、または不許可を示す情報を受信しない場合に、一定の動作を行う請求項１７記載のガス器具。
【請求項２６】
前記ガス種情報の送信に対応して、不許可を示す情報を受信した場合、または許可を示す情報を受信しない場合に、一定の動作を行う請求項１７記載のガス器具。
【請求項２７】
前記一定の動作は、通電する動作である請求項２２記載の電子機器。
【請求項２８】
前記一定の動作は、通電しない動作である、または警告情報を出力する動作である請求項２３記載の電子機器。
【請求項２９】
前記一定の動作は、通電する動作である請求項２５記載のガス器具。
【請求項３０】
前記一定の動作は、通電しない動作である、または警告情報を出力する動作である請求項２６記載のガス器具。
【請求項３１】
コンピュータに、
電子機器の定格情報を、当該電子機器から受信する定格情報受信ステップと、
前記電子機器の使用対象の規格情報を取得する規格情報取得ステップと、
前記定格情報と前記規格情報が一定の関係にあるか否かを判断する判断ステップと、
前記判断ステップにおける判断結果が一定の関係にない、との判断結果である場合は、一定の動作を行う動作ステップを実行させるプログラム。
【請求項３２】
コンピュータに、
電子機器の定格情報を、当該電子機器から受信する定格情報受信ステップと、
前記定格情報に基づいて一定の動作を行う動作ステップを実行させるプログラム。
【請求項３３】
コンピュータに、
電源情報の送信に対応して、許可を示す情報を受信する受信ステップと、
前記許可を示す情報により、電子機器を通電する通電ステップを実行させるプログラム。
【発明の詳細な説明】
【０００１】
【発明の属する技術分野】
本発明は、定格情報（例えば、ガソリンの種類に関する情報、電圧に関する情報等）を有する電子機器およびその定格情報に応じて一定の処理をする情報処理装置等に関する。
【０００２】
【従来の技術】
従来から、自動車の燃料の給油は、給油所等で給油所の作業者または本人が、自動車に給油するシステムになっている。かかる給油システムにおいて、作業者が自動車の燃料を給油する場合、作業者が自動車の運転者に燃料の種類を確認してから、若しくは、燃料の給油口に記載された燃料の種類を確認してから給油を行っている（非特許文献１参照）。
【０００３】
従来から、ガス器具等の燃料に使用するガスの種類は、プロパンガス、液体圧縮ガス、天然ガス等あり、それぞれのガスの種類に応じたガス器具が製造販売されている（非特許文献２参照）。
【０００４】
また、従来から、電子機器、例えば、家電機器等は、地域によって電源の規格が異なるものである。例えば、東日本と西日本の電源周波数は、各々５０Ｈｚと６０Ｈｚである。また、海外と日本では、電源電圧の規格が異なり、例えば、米国は１２０から２４０Ｖ、日本は１００Ｖである（非特許文献３参照）。
【０００５】
また、従来技術として、室内の分岐回路に流れる電流が、所定値以上流れると、供給電流を強制的に遮断する安全ブレーカーがある（非特許文献４参照）。
【０００６】
また、従来技術として、家庭内において、電灯線や無線（例えば、小電力無線等）を利用したネットワーク（エコーネット）技術がある。かかるエコーネットを介して、電子機器を相互に接続できる（非特許文献５参照）。
【０００７】
【非特許文献１】
新日本石油株式会社ホームページ、インターネット＜ｈｔｔｐ：／／ｗｗｗ．ｅｎｅｏｓ．ｃｏ．ｊｐ＞
【非特許文献２】
リンナイ株式会社ホームページ、インターネット＜ｈｔｔｐ：／／ｗｗｗ．ｒｉｎｎａｉ．ｃｏ．ｊｐ／ｐｒｏｄｕｃｔ／ｉｎｄｅｘ＿ｐｒｏｄｕｃｔ．ｈｔｍｌ＞
【非特許文献３】
松下電器産業株式会社ホームページ、インターネット＜ｈｔｔｐ：／／ｐｒｏｄｂ．ｍａｔｓｕｓｈｉｔａ．ｃｏ．ｊｐ／ｐｒｏｄｕｃｔｓ／ｎａｔｉｏｎａｌ／ｍｉ＿ｏｖｅｎ／０００１１２７．ｈｔｍｌ＞
【非特許文献４】
北海道計器工業株式会社ホームページ、インターネット＜ｈｔｔｐ：／／ｗｗｗ．ｋｅｉｋｏｕ．ｃｏ．ｊｐ／＞
【非特許文献５】
エコーネットコンソーシアム事務局ホームページ、インターネット＜ｈｔｔｐ：／／ｗｗｗ．ｅｃｈｏｎｅｔ．ｇｒ．ｊｐ／ｉｎｄｅｘ．ｈｔｍ＞
【０００８】
【発明が解決しようとする課題】
しかしながら、第一の従来技術は、作業者が、燃料の種類の確認を行わず誤って、別の種類の燃料を給油する場合や、確認したとしても作業者の不注意で別の燃料を給油する等が起こりえる。また、本人が燃料を給油する際には、不注意で別の燃料を給油する、また、給油機の操作を誤り別の燃料を給油することもある。さらに、自動車の燃料は、レギュラーガソリン、ハイオクガソリン、軽油、天然ガス、メタノール、水素等があり、給油する者にとっては、誤作業しやすいものである。すなわち、別の種類の燃料を供給すると自動車のエンジン等が故障する等の問題がある。
【０００９】
また、第二の従来技術は、ガスの種類ごとに、ガス器具が異なるものであり、異なるガスを使用することはできない。もし、別の種類のガスを使用した場合に、ガス器具が故障する等の問題が生じる。具体的には、ユーザーは、ガス器具を使用する際に、常に注意しているわけではなく、不注意から別の種類のガスを使用することもあるし、引越し等で、以前までプロパンガス使用の地域から都市ガス使用の地域に移動した場合には、ガスの種類に注意せず、ガス器具に都市ガスを補給し、ガス器具が故障する等の問題がある。
【００１０】
また、第三の従来技術は、地域ごとに、電子機器の規格が異なるものであることから、今まで、使用できていた電子機器が、引越し等で、使用できず、もし、使用した場合に電子機器が故障する等の問題がある。
【００１１】
また、第四の従来技術は、安全ブレーカーが、供給電流を、強制的に遮断するものであるため、パソコンで作成中のデータが失われ、さらには、記録媒体（ハードディスク等）に記録されたデータが消去されるという問題がある。また、家電機器、例えば、オーブンレンジ機器、洗濯機等の設定データが消滅し、また、オーブンレンジ機器や洗濯機の進行状況データ等が消滅するものである。
【００１２】
また、第五の従来技術は、ホームサーバー装置または外部のサーバー装置等がエコーネットにより接続された電子機器のＭＩＢ（Ｍａｎａｇｅｍｅｎｔ  Ｉｎｆｏｒｍａｔｉｏｎ  Ｂａｓｅ）情報（管理情報データベース）を読み出すことができるものである。すなわち、ホームサーバー装置または外部のサーバー装置は、電子機器のＭＩＢ情報を取得することで、エコーネットに、どの種類の電子機器が接続されたかを認識できるものである。図２２は、ネットワーク接続された電子機器とサーバー装置等の例を示す図である。図２２において、家庭内の電子機器は、宅内ＬＡＮ（Ｌｏｃａｌ  Ａｒｅａ  Ｎｅｔｗｏｒｋ）で接続されている。また、電子機器は、インターネットを介してサーバー装置等と接続されている。例えば、ガス会社のサーバー装置またはパソコン（家庭内）は、各々インターネットまたはＬＡＮを介して、ＭＩＢ情報またはガスメーターの検針情報を取得できるものである。しかし、従来技術は、サーバー装置またはパソコン（家庭内）が、ＭＩＢ情報またはガス／電気の検針情報等の取得を行うものであり、ＭＩＢ情報等に応じて、サーバー装置、パソコン等が、一定の動作を行うものではない（例えば、電子機器に通電する、または、ガス器具にガスを供給する等）。また、サーバー装置、パソコン等が、電子機器の定格情報（定格電源周波数、定格電圧等）に応じて、電子機器が使用できない旨の警告等を発するものではない。すなわち、例えば、定格電源周波数が５０Ｈｚの電子機器のプラグを、電源周波数が６０Ｈｚのコンセントに差し込むと、その電子機器を最大能力で使用できない、または、電子機器が故障する等の問題が、従来技術に存在する。
【００１３】
【課題を解決するための手段】
以上の課題を解決するために、本発明は、自動車の定格情報（例えば、ガソリンの種類の情報である燃料情報）を、自動車から受信する定格情報受信部と、自動車に給油する燃料に関する規格情報を取得する規格情報取得部と、定格情報と規格情報が一定の関係にあるか否かを判断する判断部と、判断部における判断結果が一定の関係にない、との判断結果である場合は、一定の動作を行う動作部を具備する情報処理装置、および、その情報処理装置に、保持している定格情報を送信する自動車である。かかる情報処理装置と自動車によって、給油する際に、自動車が燃料等の情報（定格情報）を送信し、かかる情報と給油する燃料の情報（規格情報）が合致しない場合に、警告情報を発することができる。または、自動的に規格情報の燃料を給油できないようにすることができる。よって、作業者または本人が不注意や誤作業により、別の燃料を給油することがなく、自動車のエンジン等の故障等の危険を回避できる。
【００１４】
また、他の本発明は、ガス器具の定格情報（例えば、ガスの種類に関する情報等）を、ガス器具から受信する定格情報受信部と、ガス器具の使用対象の規格情報を取得する規格情報取得部と、定格情報と規格情報が一定の関係にあるか否かを判断する判断部と、判断部における判断結果が一定の関係にない、との判断結果である場合は、一定の動作を行う動作部を具備する情報処理装置、および、その情報処理装置に、保持している定格情報を送信するガス器具である。かかる情報処理装置とガス器具によって、ガス器具がガスの種類等の情報（定格情報）を送信して、かかるガスの種類の情報が規格情報と合致しない場合に、警告情報を発することができる。よって、上記の原因によるガス器具の故障等の危険を回避できる。
【００１５】
また、他の本発明は、電子機器（例えば、オーブンレンジ、洗濯機等）の定格情報（例えば、電圧、電源周波数等の電源に関する情報）を、電子機器から受信する定格情報受信部と、電子機器の使用対象の規格情報を取得する規格情報取得部と、定格情報と規格情報が一定の関係にあるか否かを判断する判断部と、判断部における判断結果が一定の関係にない、との判断結果である場合は、一定の動作を行う動作部を具備する情報処理装置、および、その情報処理装置に、保持している定格情報を送信する電子機器である。かかる情報処理装置と電子機器によって、電子機器が電源情報等有する定格情報を情報処理装置に送信し、情報処理装置がその情報に応じて、使用できない旨の警告を発し、また、電子機器に電流を流さない。よって、電源の規格外の環境で電子機器が使用されることを防止して、電子機器の故障等の危険を回避できる。
【００１６】
また、他の本発明は、電子機器（例えば、パソコン、オーブンレンジ、洗濯機等）の定格情報（例えば、消費電力等の電源に関する情報）を、電子機器から受信する定格情報受信部と、電子機器の使用対象の規格情報を取得する規格情報取得部と、定格情報と規格情報が一定の関係にあるか否かを判断する判断部と、判断部における判断結果が一定の関係にない、との判断結果である場合は、一定の動作を行う動作部を具備する情報処理装置、および、その情報処理装置に、保持している定格情報を送信する電子機器である。かかる情報処理装置と電子機器によって、電子機器が電源情報等有する定格情報を情報処理装置に送信し、情報処理装置がその情報に応じて、消費電力が過剰である旨を警告する。また、同一機能の電子機器が複数ある場合に自動的に消費電力の少ない電子機器のみを稼動させる。あるいは、電子機器を省電力モードに設定することができる。すなわち、安全ブレーカーが作動して突然に電流が遮断されることなく、例えば、パソコンで作成中のデータが失われることなく、さらには、記録媒体（ハードディスク等）に記録されたデータが消去されることもない。また、オーブンレンジ、洗濯機等の設定データが消滅することもなく、また、オーブンレンジや洗濯機の進行状況データ等が消滅することもない。
【００１７】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００１８】
（実施の形態１）
【００１９】
図１は、本実施の形態における自動車１０１と情報処理装置１０２を有する情報処理システムの構成を示すブロック図である。自動車１０１は、定格情報格納部１０１１、定格情報送信部１０１２を有する。情報処理装置１０２は、定格情報受信部１０２１、規格情報取得部１０２２、判断部１０２３、動作部１０２４、第二動作部１０２５を有する。また、規格情報取得部１０２２は、取得手段１０２２１、規格情報格納手段１０２２２を有する。ここで自動車１０１は、自動車の機能を果たす最低限の構成、例えば、車体、エンジン、タイヤ、ブレーキ（図示しない）等を有する。また、情報処理装置１０２は，給油機能を具備する給油機（図示しない）に内蔵、または、給油機能を具備する給油機と専用線、無線等で接続されている。
【００２０】
定格情報格納部１０１１は、自動車の定格情報を格納している。ここで定格情報とは、自動車等の電子機器に保証された使用範囲に関する情報である。なお、使用範囲は１つの種類または値を示す場合もある。定格情報の定義は、以下同様である。自動車の場合、定格情報は、例えば、燃料情報等を有する。燃料情報とは、燃料に関する情報であり、例えば、ガソリンの種類を示すガソリン種情報（例えば、レギュラーガソリン、ハイオクガソリン、軽油、天然ガス、メタノール、電気等）等を有する。定格情報格納部１０１１は、不揮発性の記録媒体が好適であるが、揮発性の記録媒体でも良い。
【００２１】
定格情報送信部１０１２は、自動車の定格情報を情報処理装置１０２に送信する。かかる送信は、無線が好適である。かかる場合、定格情報送信部１０１２は、例えば、無線タグ等の無線通信手段で実現できる。
【００２２】
定格情報受信部１０２１は、定格情報送信部１０１２が送信した、定格情報を受信する。定格情報受信部１０２１は、例えば、無線タグリーダー等の無線通信手段で実現できる。
【００２３】
取得手段１０２２１は、自動車の使用対象の規格情報を規格情報格納手段１０２２２から取得する。ここで自動車の使用対象とは、例えば、ガソリンを給油する場合は給油ホースのレバー等、電気を充電する場合は充電器等である。また、自動車の使用対象の規格情報とは、例えば、ガソリンの種類を示すガソリン種情報（例えば、レギュラーガソリン、ハイオクガソリン、軽油等）等を有する。取得手段１０２２１は、通常、ソフトウェアから構成されるが、ハードウエア（専用回路）により実現しても良い。
【００２４】
規格情報格納手段１０２２２は、規格情報を格納している。ここで規格情報とは、自動車の燃料に関する情報であり、例えば、ガソリンの種類を示すガソリン種情報（例えば、レギュラーガソリン、ハイオクガソリン、軽油、天然ガス、メタノール、電気等）等を有する。規格情報格納手段１０２２２は、不揮発性の記録媒体が好適であるが、揮発性の記録媒体でも良い。なお、規格情報と定格情報が有する各々の情報が同一の意味を有する場合もあり、かかる情報が同一の意味を有することは、他の実施の形態においても同様である。
【００２５】
判断部１０２３は、定格情報と規格情報が一定の関係にあるか否かを判断する。判断部１０２３は、例えば、定格情報のガソリン種情報がハイオクガソリンである場合に、規格情報のガソリン種情報がハイオクガソリンであれば、一定の関係にあると判断する。もし、規格情報のガソリン種情報がハイオクガソリンでなければ、一定の関係にないと判断する。判断部１０２３は、通常、ソフトウェアから構成されるが、ハードウエア（専用回路）により実現しても良い。
【００２６】
動作部１０２４は、判断部１０２３の判断結果が、一定の関係にない、との判断結果に応じて、一定の動作を行う。ここで、一定の動作とは、例えば、警告に関する情報である警告情報を出力する（表示する、音出力する）、または、自動車に給油しないことを給油機に指示する等である。動作部１０２４は、通常、ソフトウェアから構成されるが、ハードウエア（専用回路）により実現しても良い。また、動作部１０２４が警告情報を表示する場合、動作部１０２４は、ディスプレイ等とそのドライバーソフト等を有して実現できる。また、動作部１０２４が警告情報を音出力する場合、動作部１０２４は、スピーカーとそのドライバーソフト等を有して実現できる。
【００２７】
第二動作部１０２５は、判断部１０２３の判断結果が、一定の関係にある、との判断結果に応じて、定格情報の燃料が給油可能な旨を出力する（例えば、表示する、音を出力等）。また、第二動作部１０２５は、定格情報の燃料を給油できるようにする命令を給油機に行うこと等でも良い。第二動作部１０２５は、通常、ソフトウェアから構成されるが、ハードウエア（専用回路）により実現しても良い。また、第二動作部１０２５が、給油可能な旨の情報等を表示する場合、第二動作部１０２５は、ディスプレイ等とそのドライバーソフト等を有して実現できる。また、第二動作部１０２５が給油可能な旨の情報等を音出力する場合、第二動作部１０２５は、スピーカーとそのドライバーソフト等を有して実現できる。
【００２８】
以下、本実施の形態における情報処理装置１０２の動作について図２のフローチャートを用いて説明する。なお、自動車１０１の動作は、定格情報送信部１０１１が定格情報格納部１０１１から定格情報を取得して、給油機に内蔵された情報処理装置１０２に送信する、動作である。
【００２９】
（ステップＳ２０１）定格情報受信部１０２１は、定格情報を受信したか否かを判断する。受信すれば、ステップＳ２０２に行き、受信しなければ、ステップＳ２０１に戻る。
【００３０】
（ステップＳ２０２）取得手段１０２２１は、自動車の使用対象の規格情報を規格情報格納手段１０２２２から取得する。取得手段１０２２１は、例えば、作業者が燃料の選択ボタン（レギュラーガソリン）を選択（プッシュ）した場合に、かかる選択された燃料（レギュラーガソリン）に合致する規格情報（レギュラーガソリン）を取得する。
【００３１】
（ステップＳ２０３）判断部１０２３は、ステップＳ２０１受信した定格情報とステップＳ２０３で取得した規格情報が一定の関係にあるか否かを判断する。
一定の関係にあれば、ステップＳ２０４に行き、一定の関係になければ、ステップＳ２０５に行く。
【００３２】
（ステップＳ２０４）第二動作部１０２５は、一定の動作を行う。この一定の動作は、例えば、給油機が有するまたは接続されたスピーカーに、給油可能な旨を出力（例えば、表示する、音を発する等）こと、または、自動車のガソリン種情報（例えば、ハイオクガソリン）の燃料を給油できるようにする命令を給油機に行うこと等である。次に、ステップＳ２０１に戻る。
【００３３】
（ステップＳ２０５）動作部１０２４は、一定の動作を行う。この一定の動作は、例えば、給油機が有するまたは接続されたスピーカーに、警告音を発すること、また、定格情報（例えば、レギュラーガソリン）以外の燃料が給油できないようにする命令を給油機に行うこと等である。次に、ステップＳ２０１に戻る。
【００３４】
なお、図２のフローチャートにおいて、情報処理装置１０２の動作は、情報処理装置１０２の電源をＯＦＦにする等の割り込み処理等により、終了する。
【００３５】
以下、本実施の形態における自動車１０１と情報処理装置１０２を内蔵する給油機３０１の具体的な動作について説明する。
【００３６】
図３は、自動車１０１と給油機３０１の外観の例を示す図である。図３において、自動車１０１は、給油機３０１の横に停止し、燃料の給油を受ける状態にある。給油機３０１は、操作パネル３０１１を具備し、操作パネル３０１１は、燃料選択ボタン３０１２、３０１２１、ディスプレイ３０１３、スピーカー３０１４等を有するものである。
【００３７】
今、自動車１０１が、給油機の横に停車している。給油機３０１の定格情報受信部は無線タグリーダーを有している。また、自動車１０１は無線タグを有し、当該無線タグはガソリン種情報等を有する定格情報を格納している。無線タグリーダーからの信号を受信した無線タグは、定格情報を無線タグリーダーに送信する。給油機３０１は、無線タグリーダーが受信した定格情報（例えば、ガソリン種情報）をディスプレイ３０１３に表示する。なお、無線タグには自動車を識別する型式の情報も記録され、無線タグは型式の情報も同時に送信しても良い。なお、自動車を識別する型式の情報は、定格情報ではない。図３において、ディスプレイ３０１３に表示した「型式  ＢＭＷ」は、自動車の型式を、また、「種類ハイオク」は、ガソリン種情報であることを示す。また、給油機３０１は、燃料ボタン（例えば、レギュラーボタン、ハイオクボタン等）を選択する旨をディスプレイ３０１３に表示する。図３において、給油機３０１は、「ハイオクボタンを選択してください」をディスプレイ３０１３に点滅表示することを示す。また、給油機３０１は、音声の「ハイオクボタンを選択してください」をスピーカー３０１４に出力する。なお、給油機３０１は、ハイオクボタンを点滅させても良い。
【００３８】
給油機３０１が表示また音声出力した「ハイオクボタンを選択してください」に応じて、作業者（給油する者）は、選択ボタンを押す（選択する）。まず、選択されたボタンが、レギュラーボタン３０１２１である場合について以下に説明する。図４は、操作パネル３０１１の表示の例を示す図である。図４において、作業者（給油する者）は、レギュラーボタン３０１２１を選択していることを示す。
【００３９】
レギュラーボタン３０１２１が選択されると、取得手段１０２２１は、規格情報格納手段１０２２２から、選択されたレギュラーボタン３０１２１に応じた規格情報（レギュラーガソリン）を取得する。
【００４０】
次に、判断部１０２３は、取得手段１０２２１が取得した規格情報（レギュラーガソリン）と定格情報（ハイオクガソリン）が一定の関係（ここで一定の関係とは、合致すること）にないと判断する。
【００４１】
次に、判断部１０２３が一定の関係にないと判断したことに応じて、動作部１０２３は、レギュラーガソリンが選択された旨の警告情報をディスプレイ３０１３に表示する。なお、警告情報は、予め動作部１０２４に格納されている。図４において、動作部１０２４は、「レギュラーが選択されました」「レギュラーは給油できません  ハイオクを選択してください」をディスプレイ３０１３に点滅表示することを示す。また、スピーカー３０１４に「レギュラーが選択されました。ハイオクボタンを選択してください。」を音声出力する。
【００４２】
また、動作部１０２４は、規格情報の燃料（レギュラーガソリン）の給油ができないようにする命令を給油機に行う。かかる場合、給油機は、規格情報の燃料（レギュラーガソリン）の給油を停止する処理、例えば、給油機の元バルブを閉める、給油ホースのレバーを引けないように固定にする等の処理を行う。
【００４３】
次に、作業者が、ハイオクボタン３０１２を選択した場合について説明する。
図５は、操作パネル３０１１の表示の例を示す図である。図５において、作業者は、ハイオクボタン３０１２を選択していることを示す。なお、作業者が、「ハイオクボタンを選択してください」に応じて、ハイオクボタンを選択する場合、または、上記のように別の選択ボタンを選択した後に、ハイオクボタンを選択しても以下の動作は同じである。
【００４４】
ハイオクボタン３０１２が選択されると、取得手段１０２２１は、規格情報格納手段１０２２２から、選択されたハイオクボタン３０１２１に応じた規格情報（ハイオクガソリン）を取得する。
【００４５】
次に、判断部１０２３は、取得手段１０２２１が取得した規格情報（ハイオクガソリン）とガソリン種情報（ハイオクガソリン）が一定の関係（ここで一定の関係とは、合致すること）にあると判断する。
【００４６】
次に、第二動作部１０２５は、ハイオクガソリンが選択された旨をディスプレイ３０１３に表示する。図５において、判断部１０２３は、「ハイオクが選択されました」、「ハイオク給油可能です」をディスプレイ３０１３に点滅表示することを示す。また、スピーカー３０１４に「ハイオクです」を音声出力する。また、第二動作部１０２５は、ハイオクガソリンを給油する命令を給油機に行う。
かかる場合、給油機は、ハイオクガソリンを給油できる状態にする処理、例えば、給油機の元バルブを開ける、給油ホースのレバーのロックを解除する等の処理を行う。
【００４７】
なお、本実施の形態において、燃料ボタン（例えば、レギュラーボタン）が選択されると、取得手段１０２２１は、規格情報格納手段１０２２２から、選択された燃料ボタンに応じた規格情報（レギュラーガソリン）を取得するものだったが、給油ホースの給油口が給油機に着脱可能に設置され、当該給油ホースの給油口を給油機からはずすと当該給油ホースに応じたガソリン種情報（レギュラーガソリン）を、取得手段１０２２１が取得するものでも良く、その他の方法で取得しても良い。
【００４８】
また、本実施の形態において、無線タグが定格情報を送信するものだったが、定格情報送信部が近距離無線通信手段を有して、給油機から離れた場所（例えば、給油所の敷地上、また、給油所から離れた道路上）から定格情報を送信するものでも良い。かかる場合、定格情報受信部は、送信された定格情報を受信する受信手段を有する。なお、その他の通信手段で、定格情報を送受信するものでも良い。
【００４９】
また、本実施の形態において、無線タグが定格情報と自動車の型式の情報を送信するものだったが、無線タグが自動車の型式を送信しないものでも良いことは言うまでもない。
【００５０】
以上、本実施の形態によれば、自動車の定格情報と自動車の使用対象の規格情報が一定の関係にあるか否かを判断し、その判断結果が一定の関係にない場合に、一定の動作を行う情報処理装置、および、その情報処理装置に、保持している定格情報を送信する自動車である。かかる情報処理装置と自動車によって、給油する際に、自動車が燃料等の情報（定格情報）を送信し、かかる情報と給油する燃料の情報（規格情報）が合致しない場合に、警告情報を発することができる。
または、自動的に規格情報の燃料を給油できないようにすることができる。よって、作業者または本人が不注意や誤作業により、別の燃料を給油することがなく、自動車のエンジン等の故障等の危険を回避できる。また、ハイオクガソリン自動車にレギュラーガソリンを給油してエンジンを始動した場合、エンジンが故障されないまでも、ハイオクガソリン自動車の能力を十分に引き出せない。かかる場合、本発明においては、定格情報に応じたガソリン（例えば、ハイオクガソリン）を給油できるため、ハイオクガソリン自動車の能力を最大限に引き出すことができる。
【００５１】
なお、本実施の形態において説明した情報処理装置の動作について、ソフトウェアで実現し、当該ソフトウェアを例えば、サーバー上に置いて、ソフトウェアダウンロードにより当該ソフトウェアを配布しても良い。さらにソフトウェアをＣＤ−ＲＯＭ等の記録媒体に記録して流布しても良い。このことは、すべての他の実施の形態においても同様である。なお、本実施の形態における動作をソフトウェアで実現した場合のプログラムは、以下のようになる。コンピュータに、電子機器の定格情報を、電子機器から受信する定格情報受信ステップと、電子機器の使用対象の規格情報を取得する規格情報取得ステップと、定格情報と規格情報が一定の関係にあるか否かを判断する判断ステップと、判断部における判断結果が一定の関係にない、との判断結果である場合は、一定の動作を行う動作ステップを実行させるプログラムである。なお、ここでコンピュータとは、広く、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、メインメモリ等を有するものであり、例えば、自動車、テレビやガス器具等の電子機器も該当する。なお、かかるコンピュータの定義は、他の実施の形態においても同様である。
【００５２】
また、コンピュータに、電子機器の定格情報を、当該電子機器から受信する定格情報受信ステップと、定格情報に基づいて一定の動作を行う動作ステップを実行させるプログラムである。
【００５３】
また、本実施の形態において、情報処理装置が、定格情報を受信し、規格情報を取得し、定格情報と規格情報が一定の関係にあるか否かを判断し、その判断結果が一定の関係にないとの判断結果の場合に、一定の動作を行うものだったが、自動車が、規格情報を取得し、当該規格情報と定格情報格納部に格納された定格情報が一定の関係にあるか否かを判断し、その判断結果が一定の関係にないとの判断結果の場合に、一定の動作を行うものでも良い。かかる場合、自動車は、定格情報を格納する定格情報格納部と、規格情報を取得する規格情報取得部と、規格情報と定格情報が一定関係にあるか否かを判断する判断部と、その判断結果が一定の関係にないとの判断結果の場合に、一定の動作を行う動作部を具備する。
すなわち、例えば、自動車が、規格情報を格納している給油機（若しくは給油スタンドのサーバー装置等）から規格情報を取得（例えば、無線通信手段等で取得）し、当該規格情報（レギュラーガソリン）と自動車が格納している定格情報（ハイオクガソリン）が合致しない場合に、一定の動作を行うものである。この一定の動作は、例えば、給油できない旨の警告情報を自動車のディスプレイに表示する動作、または、自動車のスピーカーに音出力する等の動作である。なお、動作部が、ガソリン種情報以外の給油ホースのレバーをロック状態に保持する命令等を給油機に指示（送信）する、または、給油できない旨の警告情報を給油機のディスプレイに表示する指示、または、給油機のスピーカーに音出力する指示等を行うものでも良い。
【００５４】
また、本実施の形態において、情報処理装置が、定格情報を受信し、規格情報を取得し、定格情報と規格情報が一定の関係にあるか否かを判断し、その判断結果が一定の関係にないとの判断結果の場合に、一定の動作を行うものだったが、情報処理装置が、受信した定格情報と規格情報が一定の関係にあるか否かを判断せずに、定格情報（例えば、ガソリン種情報がレギュラーガソリン）に基づいて一定の動作を行う。一定の動作とは、例えば、レギュラーガソリンを給油しなければならない旨の出力、または、レギュラーガソリンの給油ホースのレバーのロックを解除してレギュラーガソリンのみを給油できるようにする（他の給油ホースのレバーはロック状態を保持する）等である。かかる場合、情報処理装置は、自動車の定格情報を、当該自動車から受信する定格情報受信部と、当該定格情報に基づいて一定の動作を行う動作部を具備する。なお、この出力とは、ディスプレイ等への表示が好適であるが、スピーカーからの音出力やプリンタへの印刷でも良い。かかる場合、情報処理装置は、例えば、ディスプレイとそのドライバーソフトにより実現され得る。また、音で出力する場合には、スピーカーとそのドライバーソフトを有しても良い。また、プリンタへの印刷する場合は、プリンタとそのドライバーソフトを有しても良い。
【００５５】
また、本実施の形態において、自動車は、定格情報を情報処理装置に送信するものだったが、自動車は、定格情報を、その他の情報処理装置（例えば、サーバー装置）に送信するものでも良い。かかる場合、その他の情報処理装置（例えば、サーバー装置）が、定格情報を、本実施の形態の情報処理装置に送信するものでも良い。
【００５６】
また、本実施の形態において、情報処理装置は、動作部と第二動作部を有するものであったが、情報処理装置が、いずれか一方の動作部を有するものでも良い。また、動作部と第二動作部が物理的に同一のものでも良いことはいうまでもない。なお、情報処理装置が、いずれか一方の動作部を有する構成は、他の実施の形態でも同様である。
【００５７】
（実施の形態２）
【００５８】
図６は、本実施の形態におけるガス器具６０１、情報処理装置６０２およびガス会社のサーバー装置６０３を有する情報処理システムの構成を示すブロック図である。ガス器具６０１は、定格情報格納部６０１１、定格情報送信部６０１２を有する。情報処理装置６０２は、定格情報受信部６０２１、規格情報取得部６０２２、判断部６０２３、動作部６０２４、第二動作部６０２５を有する。ガス会社のサーバー装置のサーバー装置６０３は、規格情報格納部６０３１を有する。情報処理装置６０２は、ガス会社のサーバー装置６０３とネットワークで接続されている。
【００５９】
定格情報格納部６０１１は、電子機器（本実施の形態ではガス器具）の定格情報を格納している。ガス器具の定格情報とは、ガス器具に保証された使用範囲に関する情報であり、例えば、燃料情報等を有する。燃料情報とは、燃料に関する情報であり、例えば、ガスの種類を示すガス種情報（例えば、１２Ａ、１３Ａ、４Ａ、４Ｂ、５Ａ、５Ｂ、６Ｃ、６Ｂ、ＬＰ等）を有する。定格情報格納部６０１１は、不揮発性の記録媒体が好適であるが、揮発性の記録媒体でも良い。
【００６０】
定格情報送信部６０１２は、ガス器具の定格情報を情報処理装置１０２に送信する。定格情報送信部６０１２は、例えば、ネットワークを介して定格情報を送信する。かかる場合、定格情報送信部６０１２は、ネットワークカードとそのドライバーソフト等を有して実現できる。
【００６１】
定格情報受信部６０２１は、定格情報送信部６０１２が送信した、定格情報を受信する。定格情報受信部６０２１は、例えば、ネットワークを介して定格情報受信する場合、ネットワークカードとそのドライバーソフト等を有して実現できる。
【００６２】
規格情報取得部６０２２は、ガス器具の使用対象の規格情報を規格情報格納部６０３１から取得する。ここで規格情報は、燃料に関する情報であり、例えば、ガスの種類を示すガス種情報（例えば、１２Ａ、１３Ａ、４Ａ、４Ｂ、５Ａ、５Ｂ、６Ｃ、６Ｂ、ＬＰ等）等を有する。規格情報取得部６０２２は、ネットワークカードとそのドライバーソフト等を有して実現できる。また、ガス会社のサーバー装置６０３とガスメーター（図示しない）がネットワークで接続され、ガスメーターが規格情報を取得する場合には、規格情報取得部６０２２は、ガスメーターから、規格情報を取得する。かかる場合、規格情報取得部６０２２は、ガスメーターとネットワーク接続されているものでも良く、情報処理装置６０２がガスメーターに内蔵された構成でもよい。なお、ガスメーターは、規格情報を予め格納（例えば、規格が１３Ａであるガスメーターを設置する場合、または、設置時に規格を１３Ａに設定する場合等）していても良い。
【００６３】
規格情報格納部６０３１は、規格情報を格納している。規格情報格納部６０３１は、不揮発性の記録媒体が好適であるが、揮発性の記録媒体でも良い。
【００６４】
判断部６０２３は、定格情報と規格情報が一定の関係にあるか否かを判断する。判断部６０２３は、例えば、定格情報のガス種情報が１２Ａである場合に、規格情報のガス種情報が１２Ａであれば、一定の関係にあると判断する。もし、規格情報のガス種情報が１２Ａでなければ、一定の関係にないと判断する。判断部６０２３は、通常、ソフトウェアから構成されるが、ハードウエア（専用回路）により実現しても良い。
【００６５】
動作部６０２４は、判断部６０２３の判断結果が、一定の関係にない、との判断結果に応じて、一定の動作を行う。ここで、一定の動作とは、例えば、警告に関する情報である警告情報を出力する（表示する、音を発する）、または、ガス器具にガスを配給しないようにする、例えば、ガスの元栓またはガス器具に接続されたガス栓のみを閉にロックする。動作部６０２４は、通常、ソフトウェアから構成されるが、ハードウエア（専用回路）により実現しても良い。また、動作部６０２４が警告情報を表示する場合、動作部６０２４は、ディスプレイ等とそのドライバーソフト等を有して実現できる。また、動作部６０２４が警告情報を音出力する場合、スピーカーとそのドライバーソフト等を有して実現できる。
【００６６】
第二動作部６０２５は、判断部６０２３の判断結果が、一定の関係にある、との判断結果に応じて、一定の動作をする。一定の動作とは、供給可能な旨を出力する（例えば、表示する、音を発する等）ことである。または、ガス種情報（例えば、１２Ａ）のガスを供給できるようにする、例えば、ガスの元栓またはガス器具に接続されたガス栓のみを開にする。第二動作部６０２５は、通常、ソフトウェアから構成されるが、ハードウエア（専用回路）により実現しても良い。また、第二動作部６０２５が供給可能な旨の情報等を表示する場合、第二動作部６０２５は、ディスプレイ等とそのドライバーソフト等を有して実現できる。また、第二動作部６０２５が供給可能な旨の情報等を音出力する場合、第二動作部６０２５は、スピーカーとそのドライバーソフト等を有して実現できる。
【００６７】
以下、本実施の形態におけるガス器具であるファンヒーター７０１と情報処理装置６０２の具体的な動作について説明する。
【００６８】
図７は、ファンヒーター７０１と情報処理装置６０２の外観の例を示す図である。図７において、ファンヒーター７０１と情報処理装置６０２は、無線通信手段を有して定格情報を送受信できる状態である。また、情報処理装置６０２とガスメー７０２とガス会社のサーバー装置６０３は、ネットワークを介して接続されている。ガス器具７０１のガスホースとガス栓は接続されている。ガスメーター７０２とガス会社のサーバー装置６０３はＰＨＳ通信手段で接続されている。
そして、ガスメーター７０２は、規格情報を受信し保持している。また、情報処理装置６０２は、ディスプレイ７０３とスピーカー７０４を有する。
【００６９】
今、ファンヒーター７０１の、定格情報送信部６０１１は、定格情報格納部６０１２に格納された、定格情報（例えば、ガス種情報（１２Ａ））を情報処理装置６０２に送信する。定格情報受信部６０２１は、その送信された定格情報を受信する。なお、定格情報送信部６０１１は、ガス器具の名称（例えば、ファンヒーター）等を情報処理装置６０２に送信するものでも良い。かかる場合、ガス器具の名称（例えば、ファンヒーター）等は、定格情報格納部６０１２、またはガス器具に内蔵された記録媒体に格納されている。なお、ガス器具の名称の情報は、定格情報ではない。
【００７０】
次に、規格情報取得部６０２２は、ガスメーター７０２が保持している規格情報のガス種情報（例えば、１２Ａ）を取得する。なお、ガスメーター７０２が規格情報を保持していない場合、規格情報取得部６０２２は、ガス会社のサーバー装置６０３の規格情報格納部６０３１が格納する規格情報のガス種情報を取得する。
【００７１】
次に、判断部６０２３は、定格情報受信部６０２１が受信した定格情報と、規格情報取得部６０２２が取得した規格情報が、一定の関係にあるか否かを判断する。具体的に、定格情報のガス種情報「１２Ａ」と規格情報のガス種情報「１２Ａ」が合致するものであれば、一定の関係にあると判断する。また、定格情報と規格情報の各々のガス種情報が合致しなければ、一定の関係にないと判断する。
【００７２】
判断部６０２３が一定の関係にないと判断したことに応じて、動作部６０２４は、ディスプレイ７０３に、警告情報を表示する。また。動作部６０２４は、スピーカー７０４に警告情報を音出力する。図８は、情報処理装置６０２の表示の例を示す図である。図８において、動作部６０２４は、ディスプレイ７０３に、「ガスの種類が異なります。ファンヒーターは使用できません。」の表示をすることを示す。また、動作部６０２４は、スピーカー７０４に「ビービービー、ガスの種類が異なります。ファンヒーターは使用できません。」を音声出力する。かかる場合、動作部６０２４は、ガス器具の名称の「ファンヒーター」と予め動作部６０２４に保持されている警告情報の「ガスの種類が異なります。○○○は使用できません。」を合成して表示または、音声出力する。なお、動作部６０２４は、ファンヒーター７０１に上記同様の表示または音声出力を指示するものでも良い。かかる場合、ファンヒーター７０１は、ディスプレイとそのドライバーソフトまたはスピーカーとそのドライバーソフト等を有する。また、動作部６０２４は、ファンヒーター７０１の主電源スイッチをＯＮ状態にできない命令をファンヒーター７０１に行う。かかる場合、ファンヒーター７０１は、その命令に応じて主電源スイッチをＯＮにしないで、ＯＦＦ状態を維持する。かかる場合、ファンヒーター７０１は、主電源スイッチをＯＮ／ＯＦＦするスイッチ手段を有する。また、動作部６０２４は、ファンヒーター７０１のガスホースが接続されたガス栓または、ガスの元栓を締める命令をガスメーター７０２に行っても良い。かかる場合、ガスメーター７０２は、その命令に応じて栓を締める栓締め手段を有する。また、ガス会社のサーバー装置６０３に上記の警告情報を送信するものでも良い。かかる場合、ガス会社のサーバー装置６０３は、情報処理装置６０２に、警告情報を発するものでも良い。
【００７３】
なお、判断部６０２３が一定の関係にあると判断した場合、第二動作部６０２５は、ディスプレイ７０３に、使用できる旨の表示をしてもよく、また、スピーカー７０４に、使用できる旨を音で出力しても良い。
【００７４】
また、本実施の形態において、情報処理装置６０２が、定格情報を受信し、規格情報を取得し、定格情報と規格情報が一定の関係にあるか否かを判断し、その判断結果が一定の関係にないとの判断結果の場合に、一定の動作を行うものだったが、ガス器具が、規格情報を取得し、当該規格情報と定格情報格納部に格納された定格情報が一定の関係にあるか否かを判断し、その判断結果が一定の関係にないとの判断結果の場合に、一定の動作を行うものでも良い。かかる場合、ガス器具は、定格情報を格納する定格情報格納部と、規格情報を取得する規格情報取得部と、規格情報と定格情報が一定関係にあるか否かを判断する判断部と、その判断結果が一定の関係にないとの判断結果の場合に、一定の動作を行う動作部を具備する。すなわち、例えば、ガス器具が、規格情報を格納しているガスメーター（若しくはサーバー装置等）から規格情報を取得（無線通信手段等で取得）し、当該規格情報（１２Ａ）とガス器具が格納している定格情報（１３Ａ）が合致しない場合に、一定の動作を行うものである。この一定の動作とは、例えば、ガス器具の主電源スイッチをＯＮ状態にしない動作、または、ガスの種類が異なる旨の警告情報をガス器具が有するディスプレイに表示またはスピーカーに音出力等する動作である。
【００７５】
また、本実施の形態において、情報処理装置が、定格情報を受信し、規格情報を取得し、定格情報と規格情報が一定の関係にあるか否かを判断し、その判断結果が一定の関係にないとの判断結果の場合に、一定の動作を行うものだったが、情報処理装置が、受信した定格情報と規格情報が一定の関係にあるか否かを判断せずに、定格情報（例えば、ガス種情報が１２Ａ）に基づいて一定の動作（例えば、１２Ａのガスが必要である旨の出力、ガス器具の主電源をＯＮ状態にしない等）を行うものでも良い。かかる場合、情報処理装置は、ガス器具の定格情報を、当該ガス器具から受信する定格情報受信部と、当該定格情報に基づいて一定の動作を行う動作部を具備する。なお、この出力とは、ディスプレイ等への表示が好適であるが、スピーカーからの音出力やプリンタへの印刷でも良い。かかる場合、情報処理装置は、例えば、ディスプレイとそのドライバーソフトにより実現され得る。また、音で出力する場合には、スピーカーとそのドライバーソフトを有しても良い。また、プリンタへの印刷する場合は、プリンタとそのドライバーソフトを有しても良い。
【００７６】
以上、本実施の形態によれば、ガス器具（ファンヒーター）の定格情報と規格情報が一定の関係にあるか否かを判断し、その判断結果が一定の関係にない場合に、一定の動作を行う情報処理装置、および、その情報処理装置に、保持している定格情報を送信するガス器具である。かかる情報処理装置とガス器具によって、ガス器具がガスの種類等の情報を送信して、ガスの種類等の情報が規格情報と合致しない場合には、警告を発して、使用できない旨を知らせることができる、また、ガス器具の電源をＯＮ状態にしない。よって、上記の原因によるガス器具の故障等の問題が生じない。なお、ガス会社のサーバー装置が情報処理装置に警告情報を送信し、情報処理装置が、かかる警告情報を発することで、使用者は、ガス器具に関してよりいっそう注意を払うようになり、誤使用の等のトラブルを回避できる。
【００７７】
また、本実施の形態において、ガス器具は、定格情報を情報処理装置に送信するものだったが、ガス器具は、定格情報を、その他の情報処理装置（例えば、サーバー装置）に送信するものでも良い。かかる場合、その他の情報処理装置（例えば、サーバー装置）が、定格情報を、本実施の形態の情報処理装置に送信するものでも良い。
【００７８】
また、本実施の形態において、情報処理装置は、定格情報とガス器具の名称の情報を受信し、定格情報と規格情報が一定の関係にあるか否かを判断し、その判断結果が一定の関係にない場合に、一定の動作を行うものだったが、情報処理装置が、ガス器具の名称の情報を受信し、当該ガス器具の名称の情報に応じて、一定の動作（例えば、警告情報を出力する動作、またはガス器具を通電する／しない命令をガス器具に送信する動作等）を行うものでも良い。かかる場合、情報処理装置は、ガス器具の名称の情報を受信する受信部と、規格情報を取得する規格情報取得部と、ガス器具の名称の情報に基づいてガス種情報（定格情報）を取得する取得部と、当該ガス種情報と規格情報が一定の関係にあるか否かを判断する判断部と、その判断結果が一定の関係にない場合に、一定の動作を行う動作部を具備する。なお、ガス器具の名称の情報は、定格情報でないことはいうまでもない。
【００７９】
（実施の形態３）
【００８０】
図９は、本実施の形態における電子機器９０１、情報処理装置９０２の構成を示すブロック図である。電子機器９０１は、定格情報格納部６０１１、定格情報送信部９０１２を有する。情報処理装置９０２は、定格情報受信部９０２１、規格情報取得部９０２２、判断部９０２３、動作部９０２４、第二動作部９０２５を有する。
【００８１】
定格情報送信部９０１２は、定格情報格納部６０１１に格納している定格情報を情報処理装置９０２に送信する。定格情報送信部９０１２は、例えば、ネットワークを介して定格情報を送信する。かかる場合、定格情報送信部９０１２は、ネットワークカードとそのドライバーソフト等を有して実現できる。ここで、電子機器を接続するネットワークの手段は、例えば、イーサネット（登録商標）、エコーネット、無線等の手段があり、ここに例示しないその他の手段でネットワークを構成するものでも良い。
【００８２】
定格情報受信部９０２１は、定格情報送信部９０１２が送信した、定格情報を受信する。定格情報受信部９０２１は、例えば、ネットワークを介して定格情報受信する場合、ネットワークカードとそのドライバーソフト等を有して実現できる。ここで定格情報とは、電子機器に保証された使用範囲に関する情報であり、例えば、電源情報等を有する。電源情報とは、電気に関する情報であり、例えば、電子機器に対応する電圧を示す電圧情報（例えば、１００Ｖ、１２０Ｖ、２４０Ｖ等）、電子機器に対応する電源周波数を示す電源周波数情報（例えば、５０Ｈｚ、６０Ｈｚ等）、電子機器の消費電力を示す消費電力情報（例えば、１０００Ｗ、１５００Ｗ）等を有する。
【００８３】
規格情報取得部９０２２は、電子機器の使用対象の規格情報を規格情報取得部９０２２に内蔵の記録媒体に予め記録された規格情報を取得する。ここで規格情報とは、電子機器の使用対象に関する情報であり、例えば、電源電圧、電源周波数、コンセントまたは配電盤が具備する安全ブレーカーの電力許容量等の情報を有する。規格情報取得部９０２２は、通常、ソフトウェアから構成されるが、ハードウエア（専用回路）により実現しても良い。また、規格情報取得部９０２２は、規格情報を格納する記録媒体が外部（情報処理装置以外のサーバー装置、配電盤、コンセント等）にある場合には、規格情報取得部９０２２は、ネットワークカードとそのドライバーソフト等を有し、かかる記録媒体から規格情報を取得する。
【００８４】
判断部９０２３は、定格情報と規格情報が一定の関係にあるか否かを判断する。判断部９０２３は、例えば、定格情報の電源周波数情報が５０Ｈｚである場合に、規格情報の電源周波数情報が５０Ｈｚであれば、一定の関係にあると判断する。もし、規格情報の電源周波数情報が５０Ｈｚでなければ、一定の関係にないと判断する。判断部９０２３は、通常、ソフトウェアから構成されるが、ハードウエア（専用回路）により実現しても良い。
【００８５】
動作部９０２４は、判断部９０２３の判断結果が、一定の関係にない、との判断結果に応じて、一定の動作を行う。ここで、一定の動作とは、例えば、警告に関する情報である警告情報を出力する（表示する、音出力する）、また、電子機器に許可を示す情報（例えば、通電する／しない旨の情報、低消費電力モードで稼動するように自動設定する情報、同一機能有する電子機器が重複して接続されている場合にいずれかの電子機器のみを通電する旨の情報等）を送信する。動作部９０２４は、通常、ソフトウェアから構成されるが、ハードウエア（専用回路）により実現しても良い。また、動作部９０２４が警告情報を表示する場合、動作部９０２４は、ディスプレイ等とそのドライバーソフト等を有して実現できる。また、動作部９０２４が警告情報を音出力する場合、動作部９０２４は、スピーカーとそのドライバーソフト等を有して実現できる。
【００８６】
第二動作部９０２５は、判断部９０２３の判断結果が、一定の関係にある、との判断結果に応じて、一定の動作をする。一定の動作とは、電子機器に通電の許可を示す情報を電子機器またはそのプラグあるいはプラグが接続されたコンセント等に送信する。また、第二動作部９０２５は、定格情報と規格情報が一定の関係にあると判断した場合、通電可能な旨を出力する（例えば、表示する、音を発する等）。また、第二動作部９０２５は、判断結果（定格情報と規格情報を含む）を出力する（表示する、音出力する）ものでも良い。判断部９０２３は、通常、ソフトウェアから構成されるが、ハードウエア（専用回路）により実現しても良い。また、第二動作部９０２５が通電可能な旨の情報等を表示する場合、第二動作部９０２５は、ディスプレイ等とそのドライバーソフト等を有して実現できる。また、第二動作部９０２５が、通電可能な旨の情報等を音出力する場合、第二動作部９０２５は、スピーカーとそのドライバーソフト等を有して実現できる。
【００８７】
以下、本実施の形態における電子機器のオーブンレンジ１０００と情報処理装置９０２の具体的な動作について説明する。図１０は、オーブンレンジ１０００と情報処理装置９０２の外観の例を示す図である。図１０において、オーブンレンジ１０００は、プラグ１００１を有す。また、情報処理装置９０２は、ディスプレイ１００３、スピーカー１００４を有する。オーブンレンジ１０００は、スイッチ手段１００１１、通信手段１００１２、ＣＰＵ（Ｃｅｎｔｒａｌ  Ｐｒｏｃｅｓｓｉｎｇ  Ｕｎｉｔ）１００１３、ＲＯＭ（Ｒｅａｄ  Ｏｎｌｙ  Ｍｅｍｏｒｙ）１００１４を有する。電源用のプラグ１００１がコンセント１００２に差し込まれて接続し、オーブンレンジ１０００と情報処理装置９０２は、プラグ１００１、コンセント１００２および電灯線を介して接続（エコーネット接続）されている。ここでプラグ１００１がコンセント１００２に差し込まれても、オーブンレンジ１０００本体に電流が流れないようにスイッチ手段１００１１がＯＦＦである。プラグ１００１が通電する命令信号（許可を示す情報）を受信すると、スイッチ手段１００１２がＯＮになり、オーブンレンジ１０００本体に電流が流れる。詳細は後述する。
【００８８】
今、プラグ１００１がコンセント１００２に差し込まれると、定格情報送信部９０２１は、電灯線を介して、定格情報格納部６０１１に格納された定格情報（例えば、電源周波数「５０Ｈｚ」、電圧情報「１００Ｖ」）と電子機器の名称の情報（例えば、「オーブンレンジ」）を送信する。なお、電子機器の名称の情報は、予め、オーブンレンジに内蔵の記録媒体等に記録されているものである。この、電子機器の名称の情報は、定格情報ではない。以下同様である。定格情報受信部９０２１は、電灯線を介して、定格情報と電子機器の名称の情報を受信する。また、規格情報取得部９０２２は、コンセント１００２の規格情報を、情報処理装置９０２に内蔵の記録媒体に予め記録された規格情報（電源周波数「５０Ｈｚ」、電圧情報「１００Ｖ」）を取得する。なお、規格情報取得部９０２２は、情報処理装置９０２に内蔵の記録媒体に予め記録された規格情報を取得するものだったが、コンセント１００２の規格情報が格納された記録媒体または外部装置と情報処理装置９０２がネットワークを介して接続されている場合には、規格情報取得部９０２２は、記録媒体やサーバー装置等の外部装置から規格情報を取得するものでも良い。なお、かかる記録媒体は、コンセント１００２が具備するものでも良い。また、規格情報を取得する態様は、他の実施の形態でも同様である。
【００８９】
次に、判断部９０２３は、定格情報受信部９０２１が受信した定格情報と、規格情報取得部９０２２が取得した規格情報が、一定の関係にあるか否かを判断する。具体的に、定格情報の電源周波数情報「５０Ｈｚ」と、規格情報の電源周波数情報「５０Ｈｚ」が合致し、かつ、定格情報の電圧情報「１００Ｖ」と、規格情報の電圧情報「１００Ｖ」が合致する場合、一定の関係にあると判断する。また、電源周波数情報または電圧情報のいずれか一方若しくは両方が合致しない場合は、一定の関係にないと判断する。なお、他の判断アルゴリズムでも良い。
【００９０】
判断部９０２３が一定の関係にあると判断した場合、第二動作部９０２５は、ディスプレイ１００３に、オーブンレンジ１０００に通電する旨の情報を表示する。また、第二動作部９０２５は、スピーカー１００４に、その情報を音出力する。図１１は、情報処理装置９０２の表示の例を示す図である。図１１において、第二動作部９０２５は、ディスプレイ１００３に、「オーブンレンジに通電します。」の表示をすることを示す。また、第二動作部９０２５は、スピーカー１００４に「ビービービー。オーブンレンジに通電します。」を音声出力する。かかる場合、第二動作部９０２５は、電子機器の名称の情報の「オーブンレンジ」と予め第二動作部９０２５に内蔵の記録媒体に記録されている通電する旨の情報の「○○○に通電します。」を合成して表示または、音声出力する。なお、第二動作部９０２５は、電子機器の名称の情報の「オーブンレンジ」と通電する旨の情報の「○○○に通電します。」を合成して表示または、音声出力せずに、第二動作部９０２５に内蔵の記録媒体に予め記録されている情報の「通電します。」を表示または、音声出力するものでも良い。かかる電子機器の名称の情報と警告情報を合成しないで警告情報のみを出力することは、他の出力（他の実施の形態を含む）でも同様である。また、第二動作部９０２５は、オーブンレンジ１０００に、通電する命令信号（許可を示す情報）を送信する。そして、通信手段１００１２は、当該通電する命令信号をデジタル信号に変換し、ＣＰＵ１００１３に送信する。次に、ＣＰＵ１００１３は、ＲＯＭ１００１４からダウンロードしたスイッチ手段１００１１をＯＮ／ＯＦＦするプログラムを実行し、通電する命令信号に応じて、スイッチ手段１００１１をＯＮにする。そして電流がオーブンレンジ１０００本体に流れる。なお、本実施の形態では、オーブンレンジ１０００が、スイッチ手段１００１１、通信手段１００１２、ＣＰＵ１００１３、ＲＯＭ１００１４を有するものだったが、プラグまたはコンセント若しくは配電盤が有する構成でも良い。かかる場合、情報処理装置は、通電する命令信号（許可を示す情報）等を、プラグまたはコンセント若しくは配電盤に送信する。なお、かかる通電する処理の態様は、他の実施の形態においても同様である。
【００９１】
また、判断部９０２３が一定の関係にない（例えば、電源周波数が合致しない、電圧情報は合致する）と判断したことに応じて、動作部９０２４は、ディスプレイ１００３に、警告情報を表示する。また、動作部９０２４は、スピーカー１００４に、警告情報を音出力する。図１２は、情報処理装置９０２の表示の例を示す図である。図１２において、動作部９０２４は、ディスプレイ１００３に、「電源周波数が異なります。オーブンレンジは使用できません。」の表示をすることを示す。また、動作部９０２４は、スピーカー１００４に「ビービービー、電源周波数が異なります。オーブンレンジは使用できません。」を音声出力する。かかる場合、動作部９０２４は、電子機器の名称の情報の「オーブンレンジ」と動作部９０２４に内蔵の記録媒体に予め記録されている警告情報の「電源周波数の種類が異なります。○○○は使用できません。」を合成して表示または、音声出力する。なお、動作部９０２４は、電子機器の名称の情報の「オーブンレンジ」と警告情報の「電源周波数の種類が異なります。○○○は使用できません。」を合成して表示または、音声出力せずに、動作部９０２４に内蔵の記録媒体に予め記録されている警告情報の「電源周波数の種類が異なります。使用できません。」を表示または、音声出力するものでも良い。かかる電子機器の名称の情報と警告情報を合成しないで警告情報のみを出力することは、他の出力（他の実施の形態を含む）でも同様である。また、動作部９０２４は、上記警告情報を表示または音出力する指示を、オーブンレンジ１０００に、出力（送信）するものでも良い。かかる場合、オーブンレンジ１０００は、ディスプレイとそのドライバーソフトまたはスピーカーとそのドライバーソフト等を有して構成され、オーブンレンジ１０００は、警告情報を表示または音出力する。また、動作部９０２４は、オーブンレンジ１０００に、通電しない命令（通電しない状態を保持する命令）を送信する。オーブンレンジ１０００は、当該通電しない命令に応じて、スイッチ手段１００１１をＯＦＦ状態（通電しない状態）に保持する。
【００９２】
なお、本実施の形態において、判断部９０２３が一定の関係にあると判断したことに応じて、第二動作部９０２５は、ディスプレイ１００３に通電する旨の情報を表示し、スピーカー１００４にその情報を音出力し、および、プラグ１００１に通電する命令信号を送信するものだったが、第二動作部９０２５は、オーブンレンジ１０００に通電する命令信号を送信するのみでも良い。かかる態様は、他の実施の形態においても同様である。
【００９３】
また、本実施の形態において、判断部９０２３が一定の関係にないと判断したことに応じて、動作部９０２４は、ディスプレイ１００３に警告情報を表示し、スピーカー１００４に警告情報を音出力し、および、オーブンレンジ１０００に通電しない命令信号を送信するものだったが、動作部９０２４は、ディスプレイ１００３に警告情報を表示し、または、スピーカー１００４に警告情報を音出力するものでも良い。かかる場合、オーブンレンジ１０００は、通電しない命令信号を受信せずとも、通電しない状態を保持（スイッチ手段がＯＦＦ状態を保持）する。かかる態様は、他の実施の形態においても同様である。
【００９４】
また、本実施の形態において、情報処理装置９０２が、定格情報を受信し、規格情報を取得し、定格情報と規格情報が一定の関係にあるか否かを判断し、その判断結果が一定の関係にないとの判断結果の場合に、一定の動作を行うものだったが、オーブンレンジ１０００が、規格情報を取得し、当該規格情報と定格情報格納部に格納された定格情報が一定の関係にあるか否かを判断し、その判断結果が一定の関係にないとの判断結果の場合に、一定の動作を行うものでも良い。かかる場合、オーブンレンジ１０００は、定格情報を格納する定格情報格納部と、規格情報を取得する規格情報取得部と、規格情報と定格情報が一定関係にあるか否かを判断する判断部と、その判断結果が一定の関係にないとの判断結果の場合に、一定の動作を行う動作部を具備する。すなわち、例えば、電子機器が、規格情報を格納しているコンセントまたは配電盤若しくはサーバー装置等から規格情報を取得（ネットワークを介して取得）し、当該規格情報（５０Ｈｚ）と電子機器が格納している定格情報（６０Ｈｚ）が合致しない場合に、一定の動作を行うものである。この一定の動作とは、例えば、電子機器の主電源スイッチをＯＮ状態にしない動作、または、電源周波数等が異なる旨の警告情報を、電子機器が有するディスプレイに表示またはスピーカーに音出力等する動作である。
【００９５】
また、本実施の形態において、情報処理装置が、定格情報を受信し、規格情報を取得し、定格情報と規格情報が一定の関係にあるか否かを判断し、その判断結果が一定の関係にないとの判断結果の場合に、一定の動作を行うものだったが、情報処理装置が、受信した定格情報と規格情報が一定の関係にあるか否かを判断せずに、定格情報（例えば、電源周波数情報が「６０Ｈｚ」）に基づいて一定の動作（例えば、「電源周波数は６０Ｈｚです」等の出力）を行うものでも良い。
かかる場合、情報処理装置は、電子機器の定格情報を、当該電子機器から受信する定格情報受信部と、当該定格情報に基づいて一定の動作を行う動作部を具備する。なお、この出力とは、ディスプレイ等への表示が好適であるが、スピーカーからの音出力やプリンタへの印刷でも良い。かかる場合、情報処理装置は、例えば、ディスプレイとそのドライバーソフトにより実現され得る。また、音で出力する場合には、スピーカーとそのドライバーソフトを有しても良い。また、プリンタへの印刷する場合は、プリンタとそのドライバーソフトを有しても良い。
【００９６】
以上、本実施の形態によれば、電子機器（例えば、オーブンレンジ）の定格情報と規格情報が一定の関係にあるか否かを判断し、その判断結果が一定の関係にない場合に、一定の動作を行う情報処理装置、および、その情報処理装置に、保持している定格情報を送信する電子機器（オーブンレンジ）である。かかる情報処理装置と電子機器（オーブンレンジ）によって、電子機器（オーブンレンジ）が電源情報等有する定格情報を情報処理装置に送信し、情報処理装置が定格情報と規格情報が一定の関係にない場合に、使用できない旨の警告情報を表示または音出力し、また、オーブンレンジに通電しない（スイッチ手段をＯＦＦ状態に維持する、または、スイッチ手段をＯＮ状態にしない等）。よって、電源の定格以外の環境でオーブンレンジが使用されることを防止して、オーブンレンジが故障する等の危険を回避できる。また、例えば、定格情報の電源周波数が「５０Ｈｚ」の電子機器を、電源周波数が「６０Ｈｚ」であるコンセントに接続して使用する場合に、電子機器の能力を十分に引き出せない。かかる場合、本発明の情報処理装置は、定格情報と規格情報が異なる旨の警告情報を発することにより、電子機器が最大能力で稼動していないことを、ユーザーに警告できる。
【００９７】
また、本実施の形態において、電子機器は、定格情報を情報処理装置に送信するものだったが、電子機器は、定格情報を、その他の情報処理装置（例えば、サーバー装置）に送信するものでも良い。かかる場合、その他の情報処理装置（例えば、サーバー装置）が、定格情報を、本実施の形態の情報処理装置に送信するものでも良い。なお、かかる電子機器が定格情報を送信する態様は、他の実施の形態でも同様である。
【００９８】
さらに、本実施の形態における電子機器の動作をソフトウェアで実現した場合のプログラムは、以下のようになる。コンピュータに、電源情報の送信に対応して、許可を示す情報を受信する受信ステップと、許可を示す情報により、電子機器を通電する通電ステップを実行させるプログラムである。
【００９９】
（実施の形態４）
【０１００】
図１３は、本実施の形態における電子機器９０１、１３０１と情報処理装置１３０２の構成を示すブロック図である。電子機器９０１は、定格情報格納部６０１１と定格情報送信部９０１２を有する。電子機器１３０１は、定格情報格納部６０１１と定格情報送信部９０１２を有する。情報処理装置１３０２は、定格情報受信部１３０２１、規格情報取得部９０２２、判断部１３０２２、動作部１３０２３、第二動作部１３０２４を有する。
【０１０１】
定格情報受信部１３０２１は、一以上の定格情報送信部が各々送信した一以上の定格情報を受信する。また、定格情報受信部１３０２１は、定格情報受信部１３０２１に内蔵の記録媒体に受信した定格情報を蓄積する。定格情報受信部１３０２１は、例えば、ネットワークを介して定格情報受信する場合、ネットワークカードとそのドライバーソフト等を有して実現できる。また、定格情報受信部１３０２１に内蔵の記録媒体は、不揮発性の記録媒体が好適であるが、揮発性の記録媒体でも良い。
【０１０２】
判断部１３０２２は、蓄積された定格情報の消費電力情報から部屋ごとに消費電力の合計（以下、「部屋ごとの総消費電力」とする）を算出する。そして、判断部１３０２２は、部屋ごとの総消費電力と、規格情報が有する部屋ごとの総消費電力が一定の関係にあるか否かを判断する。例えば、定格情報受信部１３０２１が受信し蓄積した、リビングの第一の定格情報（ビデオ再生録画機能付きテレビ）が「消費電力（６００Ｗ）」、リビングの第二の定格情報（ビデオデッキ）が「消費電力（６００Ｗ）」、リビングの第三の定格情報（エアコン）が「消費電力（６００Ｗ）」である場合、判断部１３０２２は、それらの総消費電力（６００＋６００＋６００＝１８００Ｗ）を算出する。そして、判断部１３０２２は、総消費電力（１８００Ｗ）が、規格情報取得部９０２２が取得したリビングの供給電力情報（２５００Ｗ）未満であれば、一定の関係にあると判断する。一方、総消費電力（例えば、３０００Ｗ）が、供給電力情報（２５００Ｗ）以上であれば、一定の関係にないと判断する。判断部１３０２２は、通常、ソフトウェアから構成されるが、ハードウエア（専用回路）により実現しても良い。
【０１０３】
動作部１３０２３は、判断部１３０２２の判断結果が、一定の関係にない、との判断に応じて、一定の動作を行う。ここで、一定の動作とは、例えば、警告に関する情報である警告情報（部屋の電力供給容量がオーバーする旨）を出力する（表示する、音出力する）。または、新たに接続された電子機器を通電しない情報を送信する。または、電子機器を低消費電力で動作する低消費電力モードでのみ電子機器を稼動する命令信号を送信する。または、同一機能の機器が複数存在する場合にいずれかの（例えば、消費電力の少ない）電子機器に通電する信号を送信する等である。動作部１３０２４は、通常、ソフトウェアから構成されるが、ハードウエア（専用回路）により実現しても良い。また、動作部１３０２３が警告情報を表示する場合、動作部１３０２３は、ディスプレイ等とそのドライバーソフト等を有して実現できる。また、動作部１３０２３が警告情報を音出力する場合、動作部１３０２３は、スピーカーとそのドライバーソフト等を有して実現できる。
【０１０４】
第二動作部１３０２４は、判断部１３０２２の判断結果が、一定の関係にある、との判断に応じて、一定の動作を行う。一定の動作とは、すべての電子機器（ビデオ再生録画機能付きテレビ、ビデオデッキ、エアコン）に通電する許可を示す情報（例えば、電子機器の電源スイッチを通電する命令等）を送信する。また、第二動作部１３０２４は、通電が可能な旨を出力する（例えば、表示する、音を発する等）。また、第二動作部１３０２４は、判断結果（定格情報と規格情報を含む）を出力する（表示する、音出力する）ものでも良い。また、第二動作部１３０２４が通電する旨の情報等を表示する場合、第二動作部１３０２４は、ディスプレイ等とそのドライバーソフト等を有して実現できる。また、第二動作部１３０２４が通電する旨の情報等を音出力する場合、第二動作部１３０２４は、スピーカーとそのドライバーソフト等を有して実現できる。
【０１０５】
以下、本実施の形態における複数の電子機器と情報処理装置１３０２の具体的な動作について説明する。図１４は、複数の電子機器と情報処理装置１３０２の外観の例を示す図である。図１４において、複数の電子機器は、エアコン１４０１、ビデオ再生録画機能付きテレビ１４０２、ビデオデッキ１４０３、部屋灯１４０４、パソコン１４０５、オーブンレンジ１４０６であることを示す。また、情報処理装置１３０２は、ディスプレイ１４０７、スピーカー１４０８を有することを示す。各々の電子機器の電源用のプラグがコンセントに差し込まれて接続し、各々の電子機器と情報処理装置１３０２は、プラグ、コンセントおよび電灯線を介して接続されている。ここで各々の電子機器は、実施の形態３と同様にスイッチ手段、通信手段、ＣＰＵおよびＲＯＭ等を具備する。プラグがコンセントに差し込まれても、電子機器本体に電流が流れないようにスイッチ手段がＯＦＦである。なお、このスイッチ手段、通信手段、ＣＰＵ、ＲＯＭ等は、電子機器に内蔵されているが、プラグまたは電源のコンセントあるいは配電盤等が有するものでも良い。
【０１０６】
今、エアコン１４０１、ビデオ再生録画機能付きテレビ１４０２、ビデオデッキ１４０３、パソコン１４０５およびオーブンレンジ１４０６の各々のプラグがコンセントにすでに差し込まれている。定格情報受信部１３０２１は、それらの定格情報をすでに記録している。なお、定格情報受信部１３０２１は、電子機器に内蔵の記録媒体に記録されている電子機器の識別子（電子機器の名称の情報）も同時に受信し記録している。図１５は、定格情報受信部１３０２１が記録している定格情報等の内容の例を示す図である。図１５において、定格情報受信部１３０２１は、電子機器の識別子、消費電力情報（稼動状態ごとの消費電力等）等を記録していることを示す。例えば、電子機器の識別子が「エアコン」である場合に、稼動モードは「通常稼動」と「フルパワー」、消費電力は「通常稼動」または「フルパワー」に対応して、各々「３００Ｗ」または「６００Ｗ」であることを示す。
【０１０７】
この状態で、部屋灯１４０４のプラグがコンセントに差し込まれると、定格情報送信部は、定格情報格納部に格納された定格情報（稼動モード「最大灯」と「最小灯」、消費電力「１２０Ｗ」と「２０Ｗ」）および識別子（「部屋灯」）を情報処理装置１３０２に送信する。定格情報受信部１３０２１は、定格情報および識別子（「部屋灯」）を受信し、定格情報および識別子（「部屋灯」）を対応付けて記録する。
【０１０８】
次に、規格情報取得部９０２２は、部屋灯１４０４が差し込まれたコンセントから、コンセントの識別番号を取得し、定格情報および電子機器と対応付けて保持する。なお、図１５において、コンセントの識別番号と定格情報および電子機器の識別子が対応づけられていることを示す。
【０１０９】
次に、規格情報取得部９０２２は、コンセントの識別番号「Ａ６」をキーとして、情報処理装置１３０２に内蔵の記録媒体に予め記録された規格情報（供給電力「２５００Ｗ」）を検索し、取得する。図１６は、規格情報の例を示す図である。図１６において、規格情報は、コンセントの識別番号、供給電力等の情報を有する。
【０１１０】
次に、判断部１３０２２は、総消費電力を算出する。部屋灯１４０４が差し込まれる以前の総消費電力は、２４６０Ｗである。ここで部屋灯１４０４の「最大灯」の消費電力が「１２０Ｗ」であるので、したがって、総消費電力は「２５８０Ｗ」である。
【０１１１】
次に、判断部１３０２２は、算出した総消費電力の「２５６０Ｗ」と、規格情報取得部９０２２が取得した規格情報の供給電力の「２５００Ｗ」が、一定の関係（総消費電力が供給電力未満）にあるか否かを判断する。いま、供給電力は「２５００Ｗ」であり、総消費電力は「２５８０Ｗ」であるので、総消費電力が、供給電力未満でない。すなわち、判断部１３０２２は、一定の関係にない、との判断をする。
【０１１２】
次に、判断部１３０２２が、総消費電力が供給電力未満でない（一定の関係にない）と判断したことに応じて、動作部１３２３は、ディスプレイ１４０７に、警告情報を表示する。また、動作部１３０２３は、スピーカー１４０８に、警告情報を音出力する。図１７は、情報処理装置１３０２の表示の例を示す図である。図１７において、動作部１３０２３は、ディスプレイ１４０７に、「消費電力がオーバーです。部屋灯は使用できません。」の表示をすることを示す。また、動作部１３０２３は、スピーカー１４０８に「ビービービー、消費電力がオーバーです。部屋灯は使用できません」を音声出力する。かかる場合、動作部１３０２３は、識別子の「部屋灯」と動作部１３０２３に内蔵している記録媒体に予め記録されている警告情報の「消費電力がオーバーです。○○○は使用できません。」を合成して表示または、音声出力する。
【０１１３】
また、動作部１３０２３は、部屋灯に、通電しない命令信号（通電しない状態を保持する命令）を送信する。当該部屋灯は、通電しない命令信号を受信し、当該通電しない命令に応じて、通電しない状態を保持する（スイッチ手段がＯＦＦ状態を保持する）。
【０１１４】
なお、動作部１３０２３は、部屋灯に通電しない命令信号を送信するかわりに、動作部１３０２３は、「最小灯」モードでのみ部屋灯を稼動する命令信号を部屋灯の部屋灯に送信するものでもよい。かかる場合、「最小灯」モードでのみ部屋灯を稼動する命令信号を部屋灯のプラグに送信する前に、判断部１３０２２は、「最小灯」モードの「２０Ｗ」で、総消費電力を「２４８０Ｗ」を算出し、そして、判断部１３０２２が、供給電力（「２５００Ｗ」）が、総消費電力（「２４８０Ｗ」）以上であることを判断する。そして、部屋灯は、かかる命令信号に応じて、「最小灯」モードでのみ稼動する。さらに、動作部１３０２３は、ディスプレイ１４０７に、部屋灯が「最小灯」モードでのみ稼動可能である旨の警告情報を表示しても良く、動作部１３０２３は、スピーカー１４０８に、部屋灯が「最小灯」モードでのみ稼動可能である旨の警告情報を音出力するものでも良い。図１８は、情報処理装置１３０２の表示の例を示す図である。図１８において、動作部１３０２３は、ディスプレイ１４０７に、「消費電力がオーバーです。部屋灯は「最小灯」モードでのみ稼動可能です。」の表示をすることを示す。また、動作部１３０２３は、スピーカー１４０８に「ビービービー、消費電力がオーバーです。部屋灯は「最小灯」モードでのみ稼動可能です。」を音声出力する。かかる場合、動作部１３０２３は、識別子の「部屋灯」と稼動モードの「最小灯」および動作部１３０２３に内蔵している記録媒体に予め記録されている警告情報の「消費電力がオーバーです。○○○は○○○モードでのみ稼動可能です。使用できません。」を合成して表示または、音声出力する。
【０１１５】
また、動作部１３０２３が「最小灯」モードでのみ部屋灯を稼動する命令信号を部屋灯に送信するかわりに、動作部１３０２３は、その他の電子機器（例えば、オーブンレンジ）に、低消費電力で稼動するモード（オーブンレンジの場合は「５００Ｗ」モード）で稼動する命令信号を送信するものでも良い。かかる場合、判断部１３０２２は、上記同様に予め、低消費電力で稼動するモード（オーブンレンジの場合は「５００Ｗ」モード）での総消費電力を算出し、総消費電力が、供給電力未満であるとの判断結果を得る。なお、部屋灯およびその他の電子機器に低消費電力で稼動するモードで稼動する命令信号を送信する優先順位は、特に問わない。さらに、動作部１３０２３は、ディスプレイ１４０７に、その他の電子機器（例えば、オーブンレンジ）に、低消費電力で稼動するモード（オーブンレンジの場合は「５００Ｗ」モード）で稼動する旨の警告情報を表示しても良く、動作部１３０２３は、スピーカー１４０８に、かかる表示と同様の旨の警告情報を音出力するものでも良い。
【０１１６】
また、動作部１３０２３が部屋灯に通電しない命令信号を送信するかわりに、動作部１３０２３は、同一の供給電力元（例えば、同一の部屋内のコンセント、または、同一の安全ブレーカーに接続されているコンセント等）に接続された電子機器において、同一の機能または一部に同一の機能を有する電子機器が複数接続されている場合、そのうちのいずれかの電子機器を通電する許可を示す情報を送信して、その他を通電しないようにするものでも良い。例えば、同一機能を有するエアコンが２台接続されている場合には、いずれか１台のエアコンのみを通電する。また、例えば、ビデオ再生録画機能付きテレビとビデオデッキが接続された場合は、ビデオ再生録画機能付きテレビを通電する（ビデオ再生録画機能付きテレビは、ビデオデッキの機能を有するものである）。なお、電子機器を選択する判断アルゴリズムはその他のものでも良い。
【０１１７】
一方、判断部１３０２２が、総消費電力が供給電力未満である（一定の関係にある）と判断したことに応じて、第二動作部１３０２４は、ディスプレイ１４０７に、消費電力は問題ない旨の情報を表示する。また、第二動作部１３０２４は、スピーカー１４０８に、消費電力は問題ない旨の情報を音出力する。図１９は、情報処理装置１３０２の表示の例を示す図である。図１９において、第二動作部１３０２４は、ディスプレイ１４０７に、「消費電力は問題ありません。部屋灯は使用できます。」の表示をする。また、第二動作部１３０２４は、スピーカー１４０８に「ビービービー、消費電力は問題ありません。部屋灯は使用できます。」を音声出力する。かかる場合、第二動作部１３０２４は、識別子の「部屋灯」と、第二動作部１３０２４に内蔵している記録媒体に予め記録されている警告情報の「消費電力は問題ありません。○○○は使用できます。」を合成して表示または、音声出力する。また、第二動作部１３０２４は、部屋灯に、通電する旨の許可を示す情報を送信する。当該部屋灯は、当該通電する旨の許可を示す情報に応じて、スイッチ手段をＯＮにして、部屋灯に電流を流す。なお、スイッチ手段をＯＮにする手段は、実施の形態３でスイッチ手段をＯＮにする手段と同様である。
【０１１８】
なお、本実施の形態において、規格情報取得部９０２２は、コンセントの識別番号を取得し、その識別番号に応じた部屋ごとの総消費電力を算出するものだったが、規格情報取得部９０２２がコンセントの識別番号を取得しないものでも良い。かかる場合、規格情報取得部９０２２は、情報処理装置１３０２に内蔵の記録媒体に予め記録された部屋ごとの供給電力の情報（例えば、リビングの供給電力は「２５００Ｗ」である旨の情報等）を取得する。そして、判断部１３０２２が、総消費電力が供給電力未満でない（一定の関係にない）と判断したことに応じて、動作部１３２３は、電子機器に一定の動作（例えば、スイッチ手段をＯＦＦ状態に保持する命令、または、スイッチ手段をＯＮ状態にしない命令等）を行う。
【０１１９】
また、本実施の形態において、定格情報送信部は、定格情報（稼動モード「最大灯」と「最小灯」、消費電力「１２０Ｗ」と「２０Ｗ」）と電子機器の識別子を情報処理装置１３０２に送信するものだったが、定格情報送信部は、識別子と稼動モードを有しない定格情報（例えば、消費電力「１２０Ｗ」と「２０Ｗ」）を情報処理装置１３０２に送信するものでも良い。かかる場合、判断部１３０２２が、総消費電力が供給電力未満でない（一定の関係にない）と判断したことに応じて、動作部１３２３は、ディスプレイ１４０７に、警告情報（例えば、「消費電力がオーバーです」等）を表示する。また、動作部１３０２３は、スピーカー１４０８に、警告情報（例えば、「ビービービー、消費電力がオーバーです」等）を音出力する。また、動作部１３０２３は、電子機器（本実施の形態では部屋灯）に、通電しない命令信号（通電しない状態を保持する命令）を送信する。
【０１２０】
また、本実施の形態において、情報処理装置が、定格情報を受信し、規格情報を取得し、定格情報と規格情報が一定の関係にあるか否かを判断し、その判断結果が一定の関係にないとの判断結果の場合に、一定の動作を行うものだったが、電子機器が、規格情報を取得し、当該規格情報と定格情報格納部に格納された定格情報が一定の関係にあるか否かを判断し、その判断結果が一定の関係にないとの判断結果の場合に、一定の動作を行うものでも良い。かかる場合、電子機器は、定格情報を格納する定格情報格納部と、規格情報を取得する規格情報取得部と、規格情報と定格情報が一定関係にあるか否かを判断する判断部と、その判断結果が一定の関係にないとの判断結果の場合に、一定の動作を行う動作部を具備する。図２０は、かかる実施の形態における電子機器２０００の構成を示すブロック図である。電子機器２０００は、定格情報格納部６０１１、規格情報取得部９０２２、判断部１３０２２、動作部１３０２３を有する。かかる電子機器の動作は以下である。規格情報取得部９０２２が、規格情報を格納している記録媒体を有する、例えば、サーバー装置２００１または配電盤２００２等から規格情報を取得（例えば、ネットワーク等を介して取得）する。判断部１３０２２が、当該規格情報（例えば、供給電力「５００Ｗ」）が、定格情報（例えば、消費電力「６００Ｗ」）と一定の関係にない（例えば、消費電力が供給電力未満にない等）と判断したことに応じて、動作部１３０２３は、一定の動作を行う。この一定の動作とは、例えば、電子機器の主電源スイッチをＯＮ状態にしない動作、または、消費電力が供給電力を上回っている旨等の警告情報を、電子機器が有するディスプレイに表示またはスピーカーに音出力等する動作である。なお、本実施の形態における電子機器の構成は、他の実施の形態の電子機器の構成においても同様である。
【０１２１】
また、本実施の形態において、情報処理装置が、定格情報を受信し、規格情報を取得し、定格情報と規格情報が一定の関係にあるか否かを判断し、その判断結果が一定の関係にないとの判断結果の場合に、一定の動作を行うものだったが、情報処理装置が、受信した定格情報と規格情報が一定の関係にあるか否かを判断せずに、定格情報（例えば、消費電力情報が「６００Ｗ」）に基づいて一定の動作（例えば、「消費電力は６００Ｗです」等の出力）を行うものでも良い。かかる場合、情報処理装置は、電子機器の定格情報を、当該電子機器から受信する定格情報受信部と、当該定格情報に基づいて一定の動作を行う動作部を具備する。
なお、この出力とは、ディスプレイ等への表示が好適であるが、スピーカーからの音出力やプリンタへの印刷でも良い。かかる場合、情報処理装置は、例えば、ディスプレイとそのドライバーソフトにより実現され得る。また、音で出力する場合には、スピーカーとそのドライバーソフトを有しても良い。また、プリンタへの印刷する場合は、プリンタとそのドライバーソフトを有しても良い。
【０１２２】
また、本実施の形態において、電子機器は、電灯線を介して、情報処理装置に接続されているものだったが、電子機器が電灯線を介して、情報処理装置を具備する配電盤に接続されるものでも良い。かかる場合、情報処理装置は、配電盤または情報処理装置が記録している規格情報を取得し、定格情報と規格情報が一定の関係にないことに応じて、一定の動作を行う。例えば、情報処理装置は、配電盤に接続された電子機器の定格情報（消費電力）を取得し、当該定格情報から総消費電力を算出し、当該総消費電力が規格情報の供給電力以上である場合に、警告情報（消費電力がオーバーである旨の警告等）を表示／音出力すること、または電子機器の電源をＯＮにしないこと等を行う。また、ブレーカーが複数存在する場合（例えば、部屋ごとにブレーカーが設置されている場合）おいて、情報処理装置は、部屋ごと（ブレーカーごと）についての警告情報（例えば、「部屋Ａの消費電力がオーバーです」の旨の情報等）を表示／音出力等行う。図２１は、配電盤と電子機器の接続例を示す図である。図２１において、電子機器は、電灯線を介して配電盤に接続されている（例えば、エアコン１４０１、ビデオ再生録画付きテレビ１４０２、ビデオデッキ１４０３およびパソコン１４０５は、電灯線を介して配電盤の部屋Ａのブレーカー２１０２に接続されている）。配電盤２１００は、情報処理装置１３０２、メインブレーカー２１０１、部屋Ａのブレーカー２１０２、その他のブレーカー等が具備されている。例えば、情報処理装置１３０２は、接続された電子機器の総消費電力が、メインの供給電力以上である場合に、消費電力がオーバーである旨等の警告情報を表示または音出力する。または、情報処理装置１３０２は、例えば、部屋Ａのブレーカーに接続された電子機器の消費電力が、部屋Ａの供給電力以上である場合に、部屋Ａの消費電力がオーバーである旨等の警告情報を表示または音出力する。または、情報処理装置１３０２は、例えば、電子機器の電源をＯＮにしない命令を電子機器に送信する等を行う。なお、かかる電源をＯＮにしない電子機器の特定は、１以上の電子機器、または消費電力の大きい電子機器、または同一機能を有する２以上の電子機器のうち１以上の電子機器でも良く、特に問わない。
【０１２３】
以上、本実施の形態によれば、電子機器（例えば、パソコン、オーブンレンジ等）の定格情報と規格情報が一定の関係にあるか否かを判断し、その判断結果が一定の関係にない場合に、一定の動作を行う情報処理装置、および、その情報処理装置に、保持している定格情報を送信する電子機器である。かかる情報処理装置と電子機器によって、電子機器が電源情報等有する定格情報を情報処理装置に送信し、情報処理装置がその情報に応じて、消費電力が過剰である旨を警告する。また、電子機器に電流を流さないようにする（スイッチ手段をＯＦＦ状態に維持する、または、スイッチ手段をＯＮ状態にしない）。また、同一機能の電子機器が複数ある場合に自動的に消費電力の少ない電子機器のみを稼動させる。あるいは、電子機器を低消費電力モードに設定することができる。すなわち、安全ブレーカーが作動して突然に電流が遮断されることなく、例えば、パソコンで作成中のデータが失われることなく、さらには、記録媒体（ハードディスク等）に記録されたデータが消去されることもない。また、オーブンレンジ、洗濯機等の設定データが消滅することもなく、また、オーブンレンジ等の進行状況データ等が消滅することもない。また、情報処理装置と電子機器をネットワーク（例えば、宅内ＬＡＮ、電灯線または小電力無線等）で接続することで、定格情報、規格情報または一定の動作の命令信号等を、簡単に送受信でき、電子機器の電源スイッチをＯＮにして通電できる、または、警告情報を出力できるものである。
【発明の効果】
本発明によれば、電子機器が定格情報を送信し、当該定格情報と規格情報に応じて、情報処理装置が一定の動作を行うものあって、電子機器の故障、電子機器に記録されたデータが消去される等の危険を回避できる。
【図面の簡単な説明】
【図１】実施の形態１における自動車と情報処理装置の構成を示すブロック図
【図２】実施の形態１における情報処理装置の動作について説明するフローチャート
【図３】実施の形態１における自動車と給油機の外観の例を示す図
【図４】実施の形態１における操作パネルの表示の例を示す図
【図５】実施の形態１における操作パネルの表示の例を示す図
【図６】実施の形態２におけるファンヒーターと情報処理装置の構成を示すブロック図
【図７】実施の形態２におけるファンヒーターと情報処理装置の外観の例を示す図
【図８】実施の形態２における情報処理装置の表示の例を示す図
【図９】実施の形態３における電子機器と情報処理装置の構成を示すブロック図
【図１０】実施の形態３におけるオーブンレンジと情報処理装置の外観の例を示す図
【図１１】実施の形態３における情報処理装置の表示の例を示す図
【図１２】実施の形態３における情報処理装置の表示の例を示す図
【図１３】実施の形態４における電子機器と情報処理装置の構成を示すブロック図
【図１４】実施の形態４における複数の電子機器と情報処理装置の外観の例を示す図
【図１５】実施の形態４における定格情報の内容の例を示す図
【図１６】実施の形態４における規格情報の例を示す図
【図１７】実施の形態４における情報処理装置の表示の例を示す図
【図１８】実施の形態４における情報処理装置の表示の例を示す図
【図１９】実施の形態４における情報処理装置の表示の例を示す図
【図２０】実施の形態４における電子機器の構成を示すブロック図
【図２１】実施の形態４における配電盤と複数の電子機器の外観の例を示す図
【図２２】従来技術におけるネットワーク接続例を示す図
【符号の説明】
１０１  自動車
１０２、６０２、９０２、１３０２  情報処理装置
１０１１、６０１１  定格情報格納部
１０１２、６０１２、９０１２  定格情報送信部
１０２１、６０２１、９０２１、１３０２１  定格情報受信部
１０２２、６０２２、９０２２  規格情報取得部
１０２３、６０２３、９０２３、１３０２２  判断部
１０２４、６０２４、９０２４、１３０２３  動作部
１０２５、６０２５、９０２５、１３０２４  第二動作部
１０２２１  取得手段
１０２２２  規格情報格納手段
３０１  給油機
３０１１  操作パネル
３０１２  燃料選択ボタン
３０１３、７０３、１００３、１４０７  ディスプレイ
３０１４、７０４、１００４、１４０８  スピーカー
３０１２１  レギュラーボタン
３０１２  ハイオクボタン
６０１  ガス器具
６０３  ガス会社のサーバー装置
６０３１  規格情報格納部
７０１  ファンヒーター
７０２  ガスメーター
９０１、１３０１、２０００  電子機器
１０００  オーブンレンジ
１００１  プラグ
１００１１  スイッチ手段
１００１２  通信手段
１００１３  ＣＰＵ
１００１４  ＲＯＭ
１００２  コンセント
１４０１  エアコン
１４０２  テレビ
１４０３  ビデオデッキ
１４０４  部屋灯
１４０５  パソコン
１４０６  オーブンレンジ
２００１  サーバー装置
２００２、２１００  配電盤
２１０１  メインブレーカー
２１０２  部屋Ａのブレーカー
【図１】
2004316443.tif 000003
【図２】
2004316443.tif 000004
【図３】
2004316443.tif 000005
【図４】
2004316443.tif 000006
【図５】
2004316443.tif 000007
【図６】
2004316443.tif 000008
【図７】
2004316443.tif 000009
【図８】
2004316443.tif 000010
【図９】
2004316443.tif 000011
【図１０】
2004316443.tif 000012
【図１１】
2004316443.tif 000013
【図１２】
2004316443.tif 000014
【図１３】
2004316443.tif 000015
【図１４】
2004316443.tif 000016
【図１５】
2004316443.tif 000017
【図１６】
2004316443.tif 000018
【図１７】
2004316443.tif 000019
【図１８】
2004316443.tif 000020
【図１９】
2004316443.tif 000021
【図２０】
2004316443.tif 000022
【図２１】
2004316443.tif 000023
【図２２】
2004316443.tif 000024